(57)【特許請求の範囲】
【請求項１】
コンテナ（２００）内の温度を調整するヒートポンプ（４３０）式の庫内温度調整装置（４００）であって、
前記ヒートポンプの蒸発器及び凝縮器のいずれか一方として機能し、前記コンテナの内部の空気と熱媒体との間で熱交換を行う庫内側熱交換器（４３５）と、
前記蒸発器及び前記凝縮器のいずれか他方として機能し、前記コンテナの外部の空気と前記熱媒体との間で熱交換を行う庫外側熱交換器（４３３）と、を備え、
前記庫外側熱交換器は、分離された複数の熱交換部材（４３３ａ，４３３ｂ，４３３ｃ）により構成され、
複数の前記熱交換部材には、空気流通方向が前記コンテナの天井面と交差する所定方向に設定された傾斜熱交換部材（４３３ｃ）と、空気流通方向が前記コンテナの天井面と平行な方向に設定された直立熱交換部材（４３３ａ，４３３ｂ）とが含まれ、
前記熱媒体は、前記庫外側熱交換器が前記蒸発器として機能している際に、前記傾斜熱交換部材から前記直立熱交換部材へと流れる
庫内温度調整装置。
【請求項２】
前記所定方向は、前記コンテナの天井面と直交する方向である
請求項１に記載の庫内温度調整装置。
【請求項３】
前記傾斜熱交換部材よりも前記コンテナの天井面側に設けられ、前記傾斜熱交換部材に空気を送風する庫外側ファン（４３６）と、
前記ヒートポンプ及び前記庫外側ファンの駆動を制御する制御部（４６０）と、を更に備え、
前記制御部は、
前記庫内側熱交換器が前記蒸発器として機能するように前記ヒートポンプを駆動させる冷却運転と、
前記庫内側熱交換器が前記凝縮器として機能するように前記ヒートポンプを駆動させる加温運転と、
前記加温運転の実行中に、一時的に前記庫外側熱交換器が前記凝縮器として機能するように前記ヒートポンプを駆動させる除霜運転と、を実行するとともに、
前記冷却運転及び前記加温運転の際には、前記傾斜熱交換部材を前記コンテナの天井面側へ向かって空気が流れるように前記庫外側ファンを駆動させるとともに、
前記除霜運転により前記傾斜熱交換部材に発生する水滴を除去すべく、前記傾斜熱交換部材を前記コンテナの底面側に向かって空気が流れるように前記庫外側ファンの回転方向を逆転させる
請求項１又は２に記載の庫内温度調整装置。
【発明の詳細な説明】
【技術分野】
【０００１】
本発明は、コンテナ内の温度を調整するヒートポンプ式の庫内温度調整装置に関する。
【背景技術】
【０００２】
従来、ヒートポンプを利用した機器としては、特許文献１に記載の給湯器がある。特許文献１に記載の給湯器は、冷媒を蒸発させる蒸発器として機能する熱交換器と、熱交換器に外気を送風する送風ファンとを備えている。熱交換器は、鉛直方向に対して、外気流れ方向の下流側に向かって傾斜配置されている。これにより、熱交換器の表面に付着する凝縮水は、送風ファンにより送風される外気の風力により熱交換器の表面上を流れるため、凝縮水の排水性を向上させることができる。
【先行技術文献】
【特許文献】
【０００３】
【特許文献１】特開２０１５−１０７６６号公報
【発明の概要】
【発明が解決しようとする課題】
【０００４】
近年、トレーラ等で輸送される輸送用コンテナの一形態として、例えば生鮮食品や冷凍食品等を冷却した状態で収容するためのコンテナがある。このコンテナには、その内部の温度を目標温度に保持する庫内温度調整装置が設けられている。庫内温度調整装置は、例えばヒートポンプ式のものが用いられる。ヒートポンプ式の庫内温度調整装置は、コンテナの内部の空気と熱媒体との間で熱交換を行う庫内側熱交換器と、コンテナの外部の空気と熱媒体との間で熱交換を行う庫外側熱交換器とを有している。庫内温度調整装置は、冷却運転を行う場合、庫内側熱交換器を蒸発器として用いるとともに、庫外側熱交換器を凝縮器として用いることにより、コンテナ内の温度を低下させる。また、庫内温度調整装置は、加温運転を行う場合、庫内側熱交換器を凝縮器として用いるとともに、庫外側熱交換器を蒸発器として用いることにより、コンテナ内の温度を上昇させる。
【０００５】
ところで、このような庫内温度調整装置では、加温運転を行っている場合、庫外側熱交換器に凝縮水が生成される。よって、コンテナを輸送しているトレーラが寒冷地を走行しているような場合、庫外側熱交換器により生成される凝縮水により、庫外側熱交換器に霜が発生する可能性がある。この霜は庫外側熱交換器の熱交換性能を低下させるため、庫内温度調整装置は、一時的に冷却運転を行って庫外側熱交換器を暖めることで庫外側熱交換器に発生した霜を水滴にして除去する、いわゆる除霜運転を定期的に行う必要がある。また、除霜運転の際に発生する水滴が庫外側熱交換器で保水されると、加温運転を再開した際に再び着霜してしまうため、庫外側熱交換器には高い排水性が求められている。
【０００６】
そこで、この庫外側熱交換器に、特許文献１に記載の熱交換器の構造を利用することが考えられる。すなわち、庫外側熱交換器を鉛直方向に対して傾斜するように配置することで、庫外側熱交換器の排水性を向上させるといった方法が考えられる。しかしながら、コンテナに搭載される庫内温度調整装置のスペースは限られており、庫外側熱交換器を傾斜させるために必要なスペースを確保することが難しいという実情がある。
【０００７】
本発明は、こうした実情に鑑みてなされたものであり、その目的は、庫外側熱交換器を配置可能なスペースが限られている場合でも、庫外側熱交換器の排水性を確保することの可能な庫内温度調整装置を提供することにある。
【課題を解決するための手段】
【０００８】
上記課題を解決するために、コンテナ（２００）内の温度を調整するヒートポンプ（４３０）式の庫内温度調整装置（４００）は、庫内側熱交換器（４３５）と、庫外側熱交換器（４３３）と、を備える。庫内側熱交換器は、ヒートポンプの蒸発器及び凝縮器のいずれか一方として機能し、コンテナの内部の空気と熱媒体との間で熱交換を行う。庫外側熱交換器は、蒸発器及び凝縮器のいずれか他方として機能し、コンテナの外部の空気と熱媒体との間で熱交換を行う。庫外側熱交換器は、分離された複数の熱交換部材（４３３ａ，４３３ｂ，４３３ｃ）により構成されている。複数の熱交換部材には、空気流通方向がコンテナの天井面と交差する所定方向に設定された傾斜熱交換部材（４３３ｃ）と、空気流通方向がコンテナの天井面と平行な方向に設定された直立熱交換部材（４３３ａ，４３３ｂ）とが含まれる。熱媒体は、庫外側熱交換器が蒸発器として機能している際に、傾斜熱交換部材から直立熱交換部材へと流れる。
【０００９】
この構成のように、庫外側熱交換器が複数の熱交換部材に分離されていれば、庫外側熱交換器を配置可能なスペースが限られている場合でも、庫外側熱交換器の配置の自由度を向上させることができる。よって、高い排水性が得られるようにそれぞれの熱交換部材を配置することができるため、庫外側熱交換器全体としての排水性を確保することができる。
【００１０】
なお、上記手段、及び特許請求の範囲に記載の括弧内の符号は、後述する実施形態に記載の具体的手段との対応関係を示す一例である。
【発明の効果】
【００１１】
本発明によれば、庫外側熱交換器を配置可能なスペースが限られている場合でも、庫外側熱交換器の排水性を確保することができる。
【図面の簡単な説明】
【００１２】
【図１】実施形態の庫内温度調整装置が搭載されたトレーラの斜視構造を示す斜視図である。
【図２】実施形態の庫内温度調整装置の断面構造を示す断面図である。
【図３】実施形態の庫内温度調整装置の熱交換部材の斜視構造を模式的に示す図である。
【図４】実施形態の庫内温度調整装置のヒートポンプの構成を示すブロック図である。
【図５】実施形態の庫内温度調整装置の電気的な構成を示すブロック図である。
【図６】実施形態のＥＣＵにより実行される処理の手順を示すフローチャートである。
【図７】他の実施形態の庫内温度調整装置の断面構造を示す断面図である。
【発明を実施するための形態】
【００１３】
以下、庫内温度調整装置の一実施形態について説明する。
図１に示されるように、本実施形態の庫内温度調整装置４００は、トレーラ１００により輸送されるコンテナ２００に取り付けられている。コンテナ２００は、トレーラ１００の牽引車１１０により牽引される被牽引車１２０に積載されている。
【００１４】
コンテナ２００は、金属材料により箱状に形成されている。コンテナ２００の内部には、例えば生鮮食品や冷凍食品、医薬品等、温度管理の必要な貨物が収容される。被牽引車１２０にコンテナ２００が積載された場合、コンテナ２００の天井面２０２が水平方向に平行となり、コンテナ２００の側面２０１が鉛直方向に平行となる。
【００１５】
庫内温度調整装置４００は、車両進行方向におけるコンテナ２００の側面２０１に取り付けられている。庫内温度調整装置４００は、ヒートポンプによりコンテナ２００の内部温度を目標温度に保持する。目標温度は、例えばトレーラ１００の運転者により設定される温度である。具体的には、庫内温度調整装置４００は、コンテナ２００の内部温度が目標温度よりも高い場合には、コンテナ２００の内部温度を目標温度に追従させるべく、コンテナ２００の内部の空気を冷却してコンテナ２００の内部温度を低下させる。また、トレーラ１００が寒冷地を走行しているような状況では、コンテナ２００の内部温度が目標温度よりも低くなる場合がある。この場合、庫内温度調整装置４００は、コンテナ２００の内部温度を目標温度に追従させるべく、コンテナ２００の内部の空気を加熱してコンテナ２００の内部温度を上昇させる。
【００１６】
次に、庫内温度調整装置４００の構造について詳しく説明する。
図２に示されるように、庫内温度調整装置４００は、ハウジング４１０と、遮蔽部材４２０と、ヒートポンプ４３０とを備えている。
【００１７】
ハウジング４１０は、箱状に形成されている。ハウジング４１０の上部には、開口部４１５が形成されている。ハウジング４１０の一側壁４１６は、コンテナ２００に固定されている。ハウジング４１０の一側壁４１６の内面には、遮蔽部材４２０が固定されている。遮蔽部材４２０は、箱状に形成されている。遮蔽部材４２０は、例えば高い断熱性を有する樹脂材料により形成されている。ハウジング４１０の一側壁４１６の内面と遮蔽部材４２０の内面とにより囲まれる空間により、庫内側空気通路４１８が形成されている。また、ハウジング４１０の内部空間における庫内側空気通路４１８を除く部分により、庫外側空気通路４１９が形成されている。
【００１８】
ハウジング４１０の一側壁４１６には、庫内側空気通路４１８からコンテナ２００の内部空間に貫通する庫内側貫通孔４１３，４１４が形成されている。庫内側貫通孔４１３は、庫内側空気通路４１８におけるコンテナ２００の天井面２０２側の端部に位置している。庫内側貫通孔４１４は、庫内側空気通路４１８におけるコンテナ２００の底面２０３側の端部に位置している。これらの庫内側貫通孔４１３，４１４により、コンテナ２００の内部空間と庫内側空気通路４１８とが連通されている。庫内側空気通路４１８には、庫内側熱交換器４３５と、庫内側ファン４３８とが設けられている。庫内側ファン４３８は、庫内側熱交換器４３５よりもコンテナ２００の天井面２０２側に配置されている。庫内側ファン４３８は、庫内側空気通路４１８を流れる空気を庫内側熱交換器４３５に送風する。庫内側熱交換器４３５は、内部を流れる熱媒体と、庫内側空気通路４１８を流れる空気との間で熱交換を行う。すなわち、庫内側熱交換器４３５は、内部を流れる熱媒体と、コンテナ２００の内部の空気との間で熱交換を行う。
【００１９】
ハウジング４１０における一側壁４１６に対向する他側壁４１７には、庫外側空気通路４１９からハウジング４１０の外部に貫通する庫外側貫通孔４１１，４１２が形成されている。これらの庫外側貫通孔４１１，４１２により、コンテナ２００の外部空間と庫外側空気通路４１９とが連通されている。庫外側貫通孔４１１，４１２には、熱交換部材４３３ａ，４３３ｂがそれぞれ配置されている。庫外側空気通路４１９におけるハウジング４１０の開口部４１５には、熱交換部材４３３ｃ及び庫外側ファン４３６が配置されている。庫外側ファン４３６は、熱交換部材４３３ｃよりもコンテナ２００の天井面２０２側に配置されている。換言すれば、庫外側ファン４３６は熱交換部材４３３ｃよりも鉛直方向上方側に配置されている。熱交換部材４３３ａ〜４３３ｃにより庫外側熱交換器４３３が構成されている。すなわち、庫外側熱交換器４３３は、分離された３つの熱交換部材４３３ａ〜４３３ｃにより構成されている。具体的には、分離された３つの熱交換部材４３３ａ〜４３３ｃは、図２に示されるように分割され、且つ離れて配置されている。庫外側ファン４３６は、庫外側空気通路４１９を流れる空気を熱交換部材４３３ａ〜４３３ｃに送風する。庫外側熱交換器４３３は、内部を流れる熱媒体と、庫外側空気通路４１９を流れる空気との間で熱交換を行う。すなわち、庫外側熱交換器４３３は、内部を流れる熱媒体と、コンテナ２００の外部の空気との間で熱交換を行う。
【００２０】
次に、熱交換部材４３３ａ〜４３３ｃ及び庫内側熱交換器４３５の構造について詳しく説明する。なお、熱交換部材４３３ａ〜４３３ｃ及び庫内側熱交換器４３５は基本的には同一構造を有しているため、ここでは代表して熱交換部材４３３ａの構造について説明する。
【００２１】
図３に示されるように、熱交換部材４３３ａは、ヘッダタンク４５０，４５１と、チューブ４５２と、フィン４５３とを備えている。
【００２２】
ヘッダタンク４５０，４５１は、矢印Ｘで示される方向に平行に配置されている。ヘッダタンク４５０，４５１は、矢印Ｚで示される方向に互いに離間して配置されている。ヘッダタンク４５０とヘッダタンク４５１との間には、複数のチューブ４５２が矢印Ｘで示される方向に隙間を隔てて積層配置されている。以下では、矢印Ｘで示される方向を「チューブ積層方向」と称する。ヘッダタンク４５０，４５１は、各チューブ４５２へ熱媒体を分配する機能、及び各チューブ４５２を流れ終えた熱媒体を回収する機能を有している。
【００２３】
チューブ４５２は、矢印Ｚで示される方向に長手方向を有する扁平状の細長い管である。以下では、矢印Ｚで示される方向を「チューブ長手方向」と称する。チューブ４５２の長手方向Ｚの両端部は、ヘッダタンク４５０，４５１にそれぞれ接続されている。チューブ４５２内の熱媒体の通路は、ヘッダタンク４５０，４５１の内部通路に連通されている。隣り合うチューブ４５２，４５２間に形成される隙間には、矢印Ｙで示される方向に空気が流れる。以下では、矢印Ｙで示される方向を「空気流通方向」と称する。空気流通方向Ｙは、チューブ積層方向Ｘ及びチューブ長手方向Ｚの両者に直交する方向である。
【００２４】
フィン４５３は、隣り合うチューブ４５２，４５２間の隙間に配置されている。フィン４５３は、薄く長い金属板をつづら折りに加工することにより形成される、いわゆるコルゲートフィンである。フィン４５３は、伝熱面積を増やすことにより熱交換部材４３３ａの熱交換性能を高める機能を有している。
【００２５】
熱交換部材４３３ａでは、チューブ４５２の内部を熱媒体が流れる際、チューブ４５２の外部を流れる空気と熱媒体との間で熱交換が行われる。熱交換部材４３３ｂ，４３３ｃ及び庫内側熱交換器４３５についても同様である。
【００２６】
図２に示されるように、熱交換部材４３３ａ，４３３ｂは、空気流通方向が図中の矢印Ｙａ，Ｙｂで示される方向となるように配置されている。すなわち、熱交換部材４３３ａ，４３３ｂは、空気流通方向がコンテナ２００の天井面２０２に平行な方向、換言すれば水平方向に平行な方向となるように配置されている。
【００２７】
熱交換部材４３３ｃは、空気流通方向が図中の矢印Ｙｃで示される方向となるように配置されている。すなわち、熱交換部材４３３ｃは、空気流通方向がコンテナ２００の天井面２０２に直交する方向、換言すれば鉛直方向に平行な方向となるように配置されている。このように、本実施形態では、熱交換部材４３３ｃの空気流通方向である所定方向が、コンテナ２００の天井面２０２に直交する方向、換言すれば鉛直方向に設定されている。
【００２８】
なお、本実施形態では、熱交換部材４３３ａ，４３３ｂが直立熱交換部材に相当し、熱交換部材４３３ｃが傾斜熱交換部材に相当する。
【００２９】
庫内側熱交換器４３５は、空気流通方向が図中の矢印Ｙｄで示される方向となるように配置されている。すなわち、庫内側熱交換器４３５は、空気流通方向がコンテナ２００の天井面２０２に交差する方向、換言すれば水平方向に交差する方向となるように配置されている。
【００３０】
次に、ヒートポンプ４３０の構造について詳しく説明する。
図４に示されるように、ヒートポンプ４３０は、熱交換部材４３３ａ〜４３３ｃにより構成される庫外側熱交換器４３３、庫内側熱交換器４３５、庫外側ファン４３６、庫内側ファン４３８に加え、圧縮機４３１、四方弁４３２、及び膨張弁４３４を有している。これらの要素は、配管４４０を介して環状に接続されている。配管４４０には熱媒体が流れている。
【００３１】
圧縮機４３１は、トレーラ１００のエンジンの動力、もしくは内蔵された電動モータの動力に基づいて駆動する。圧縮機４３１は、熱媒体を吸引して圧縮し、高温高圧の熱媒体を吐出する。
【００３２】
四方弁４３２は、熱媒体の流れ方向を切り替える。具体的には、四方弁４３２は、図中の実線の流路と、破線の流路とに切り替え可能になっている。四方弁４３２の流路が実線の流路に設定されている場合、圧縮機４３１の吸入口に庫内側熱交換器４３５が接続され、圧縮機４３１の吐出口に庫外側熱交換器４３３が接続される。これに対し、四方弁４３２の流路が破線の流路に設定されている場合、圧縮機４３１の吸入口に庫外側熱交換器４３３が接続され、圧縮機４３１の吐出口に庫内側熱交換器４３５が接続される。
【００３３】
膨張弁４３４は、熱媒体を急激に膨張させ、低温低圧の熱媒体を生成する。
庫外側ファン４３６は、庫外側ファンモータ４３７から伝達される動力に基づき駆動する。庫内側ファン４３８は、庫内側ファンモータ４３９から伝達される動力に基づき駆動する。
【００３４】
このヒートポンプ４３０では、四方弁４３２の流路が実線の流路に設定されている場合、図中に実線の矢印で示される方向に熱媒体が流れる。すなわち、熱媒体は、圧縮機４３１、庫外側熱交換器４３３、膨張弁４３４、庫内側熱交換器４３５の順で流れる。この場合、庫外側熱交換器４３３は凝縮器として機能し、庫内側熱交換器４３５は蒸発器として機能する。すなわち、庫外側熱交換器４３３は、庫外側空気通路４１９を流れる空気と、圧縮機４３１により圧縮された高温高圧の熱媒体との間で熱交換を行うことにより、熱媒体の熱をコンテナ２００の外部に放熱する。また、庫内側熱交換器４３５は、庫内側空気通路４１８を流れる空気と、膨張弁４３４により生成された低温低圧の熱媒体との間で熱交換を行うことにより、コンテナ２００の内部の空気を冷却する。以下では、庫内側熱交換器４３５を蒸発器として用いるヒートポンプ４３０の運転状態を冷却運転と称する。
【００３５】
また、ヒートポンプ４３０では、四方弁４３２の流路が破線の流路に設定されている場合、図中に破線の矢印で示される方向に熱媒体が流れる。すなわち、熱媒体は、圧縮機４３１、庫内側熱交換器４３５、膨張弁４３４、庫外側熱交換器４３３の順で流れる。この場合、庫外側熱交換器４３３は蒸発器として機能し、庫内側熱交換器４３５は凝縮器として機能する。すなわち、庫外側熱交換器４３３は、庫外側空気通路４１９を流れる空気と、膨張弁４３４により生成された低温低圧の熱媒体との間で熱交換を行うことにより、コンテナ２００の外部の空気の熱を熱媒体に吸熱させる。また、庫内側熱交換器４３５は、庫内側空気通路４１８を流れる空気と、圧縮機４３１により生成された高温高圧の熱媒体との間で熱交換を行うことにより、コンテナ２００の内部の空気を加熱する。以下では、庫内側熱交換器４３５を凝縮器として用いるヒートポンプ４３０の運転状態を加温運転と称する。
【００３６】
このように、本実施形態の庫内温度調整装置４００では、庫内側熱交換器４３５がヒートポンプ４３０の蒸発器及び凝縮器のいずれか一方として機能し、庫外側熱交換器４３３がヒートポンプ４３０の蒸発器及び凝縮器のいずれか他方として機能する。本実施形態の庫内温度調整装置４００では、ヒートポンプ４３０を利用してコンテナ２００の冷却及び加熱を行うことにより、コンテナ２００内の温度を調整する。
【００３７】
次に、庫内温度調整装置４００の電気的な構成について説明する。
図５に示されるように、庫内温度調整装置４００は、ＥＣＵ（Electronic Control Unit）４６０と、庫内温度センサ４６１と、温度設定スイッチ４６２とを備えている。本実施形態では、ＥＣＵ４６０が制御部に相当する。
【００３８】
庫内温度センサ４６１は、コンテナ２００内の温度を検出し、検出した温度に基づく検出信号を出力する。庫内温度センサ４６１の検出信号は、ＥＣＵ４６０に取り込まれている。ＥＣＵ４６０は、庫内温度センサ４６１の検出信号に基づいてコンテナ２００内の検出温度を取得し、コンテナ２００内の温度に基づいて圧縮機４３１、四方弁４３２、庫外側ファンモータ４３７、及び庫内側ファンモータ４３９の駆動を制御する。
【００３９】
具体的には、ＥＣＵ４６０は、トレーラの運転者等により温度設定スイッチ４６２を通じて設定される目標温度と、コンテナ２００内の検出温度とを比較する。ＥＣＵ４６０は、コンテナ２００内の検出温度が目標温度よりも高い場合には、ヒートポンプ４３０を冷却運転させるべく、圧縮機４３１及び四方弁４３２を駆動させる。また、ＥＣＵ４６０は、コンテナ２００内の検出温度が目標温度よりも高い場合には、ヒートポンプ４３０を加温運転させるべく、圧縮機４３１及び四方弁４３２を駆動させる。
【００４０】
ＥＣＵ４６０は、庫内側ファンモータ４３９を駆動させることにより、庫内側熱交換器４３５に、図２に実線で示される方向の空気流を形成する。すなわち、ＥＣＵ４６０は、庫内側貫通孔４１４から庫内側熱交換器４３５を通過して庫内側貫通孔４１３へと流れる空気流を形成する。
【００４１】
ＥＣＵ４６０は、ヒートポンプ４３０を冷却運転又は加温運転させている場合、庫外側ファンモータ４３７を駆動させることにより、庫外側熱交換器４３３に、図２に実線で示される方向の空気流を形成する。すなわち、ＥＣＵ４６０は、庫外側空気通路４１９内から熱交換部材４３３ｃを通過してハウジング４１０の開口部４１５から外部へと流れる空気流を形成する。これにより、車両走行風によりコンテナ２００の外部から熱交換部材４３３ａ，４３３ｂを通過して庫内側空気通路４１８に進入した空気が熱交換部材４３３ｃを通過することになる。このように車両走行風を利用することにより、熱交換部材４３３ａ〜４３３ｃを通過する空気の風量を増加させることができるため、熱交換部材４３３ａ〜４３３ｃの熱交換率を向上させることができる。
【００４２】
ところで、ヒートポンプ４３０を加温運転させている場合、庫外側熱交換器４３３が蒸発器として機能するため、庫外側熱交換器４３３に凝縮水が発生する。そのため、トレーラ１００が寒冷地を走行しているような場合、庫外側熱交換器４３３により生成される凝縮水により、庫外側熱交換器４３３に霜が発生する可能性がある。この霜は庫外側熱交換器４３３の熱交換性能を低下させるため、除去することが望ましい。
【００４３】
そこで、本実施形態のＥＣＵ４６０は、ヒートポンプ４３０を加温運転させている期間に、一時的にヒートポンプ４３０を冷却運転させて庫外側熱交換器４３３を凝縮器として機能させることにより、庫外側熱交換器４３３を暖める、いわゆる除霜運転を定期的に行う。また、ＥＣＵ４６０は、除霜運転の終了時に、庫外側ファン４３６の回転方向を逆転させる。
【００４４】
次に、図６を参照して、ＥＣＵ４６０による庫外側ファン４３６の駆動制御について詳しく説明する。なお、ＥＣＵ４６０は、除霜運転の開始時に図６に示される処理を実行する。
【００４５】
図６に示されるように、ＥＣＵ４６０は、まず、ステップＳ１の処理として、除霜運転が終了したか否かを判断する。ＥＣＵ４６０は、ステップＳ１の処理で肯定判断した場合、ステップＳ２の処理として、庫外側ファン４３６の回転方向が逆転するように庫外側ファンモータ４３７を駆動させる。ＥＣＵ４６０は、ステップＳ２に続くステップＳ３の処理として、庫外側ファン４３６の回転方向の逆転を開始した時点から所定時間が経過したか否かを判断する。ＥＣＵ４６０は、ステップＳ３の処理で否定判断した場合には、ステップＳ２の処理に戻り、庫外側ファン４３６の回転方向を逆転させた状態を維持する。
【００４６】
ＥＣＵ４６０は、ステップＳ３の処理で肯定判断した場合、すなわち庫外側ファン４３６の回転方向の逆転を開始した時点から所定時間が経過した場合には、庫外側ファン４３６の回転方向を戻す。
【００４７】
次に、本実施形態の庫内温度調整装置４００の動作例について説明する。
ＥＣＵ４６０が除霜運転を行うと、庫外側熱交換器４３３に発生した霜が溶けて水滴が発生する。この際、図２に示されるように、熱交換部材４３３ｃは、空気流通方向が鉛直方向に平行な方向となるように配置されているため、熱交換部材４３３ｃに発生した水滴が重力により鉛直方向下方へと流れ易くなっている。よって、熱交換部材４３３ｃの排水性を向上させることができる。
【００４８】
また、ＥＣＵ４６０は、除霜運転の終了時に、庫外側ファン４３６を所定時間だけ逆回転させる。これにより、熱交換部材４３３ｃには、図２に破線で示される方向の空気流が形成される。すなわち、ハウジング４１０の開口部４１５から熱交換部材４３３ｃを通過して庫内側空気通路４１８へと流れる空気流が形成される。これにより、熱交換部材４３３ｃに発生した水滴には、庫外側ファン４３６の風力により鉛直方向下方側へ向かう方向の力が働くため、熱交換部材４３３ｃに発生した水滴が鉛直方向下方へと更に流れ易くなる。よって、熱交換部材４３３ｃの排水性を更に向上させることができる。
【００４９】
以上説明した本実施形態の庫内温度調整装置４００によれば、以下の（１）〜（４）に示される作用及び効果を得ることができる。
【００５０】
（１）庫外側熱交換器４３３は、分離された３つの熱交換部材４３３ａ〜４３３ｃにより構成されている。このような構成によれば、庫外側熱交換器４３３の配置の自由度を向上させることができる。よって、本実施形態の庫内温度調整装置４００のように、庫外側空気通路４１９において庫外側熱交換器４３３を配置可能なスペースが限られている場合でも、高い排水性が得られるように熱交換部材４３３ｃを配置することができる。結果的に、庫外側熱交換器４３３全体としての排水性を向上させることができる。これにより、ヒートポンプ４３０の冷却運転を再開した際に、熱交換部材４３３ｃに霜が再発生し難くなるため、庫外側熱交換器４３３全体の熱交換性能を維持することができる。
【００５１】
（２）熱交換部材４３３ｃは、空気流通方向がコンテナ２００の天井面２０２と直交する方向となるように配置されている。これにより、熱交換部材４３３ｃに発生する水滴が鉛直方向下方へと流れ易くなるため、庫外側熱交換器４３３の排水性を更に向上させることができる。
【００５２】
（３）庫外側熱交換器４３３が蒸発器として機能している場合、膨張弁４３４により生成された低温低圧の熱媒体は、図４に破線で示されるように、熱交換部材４３３ｃ、熱交換部材４３３ａ、熱交換部材４３３ｂの順で流れる。よって、熱交換部材４３３ｃは、他の熱交換部材４３３ａ，４３３ｂよりも冷却されるため、熱交換部材４３３ｃが着霜し易くなる。このように、熱交換部材４３３ａ，４３３ｂよりも排水性の高い熱交換部材４３３ｃに着霜させれば、除霜により発生する水滴が排出され易くなる。これにより、庫外側熱交換器４３３全体で見たときに、除霜により発生する水滴が庫外側熱交換器４３３に保水され難くなるため、ヒートポンプ４３０の冷却運転を再開した際に、熱交換部材４３３ｃに霜が更に発生し難くなる。よって、庫外側熱交換器４３３全体の熱交換性能をより的確に維持することができる。
【００５３】
（４）ＥＣＵ４６０は、除霜運転の終了時に、除霜運転により熱交換部材４３３ｃに発生した水滴を除去すべく、庫外側ファン４３６の回転方向を逆転させる。これにより、熱交換部材４３３ｃの排水性を更に向上させることができるため、結果的に庫外側熱交換器４３３全体の熱交換性能をより的確に維持することができる。
【００５４】
なお、上記実施形態は、以下の形態にて実施することもできる。
・熱交換部材４３３ａ〜４３３ｃの配置は適宜変更可能である。例えば図７に示されるように、熱交換部材４３３ｃは、空気流通方向がコンテナ２００の天井面２０２と公差するように傾斜して配置されていてもよい。また、庫外側熱交換器４３３を構成する熱交換部材の数も適宜変更可能である。要は、庫外側熱交換器４３３は、空気流通方向がコンテナ２００の天井面２０２と交差する所定方向に設定された傾斜熱交換部材を有していればよい。
【００５５】
・ＥＣＵ４６０は、除霜運転の実行中、又は除霜運転の終了後に、庫外側ファン４３６の回転方向を逆転させる処理を実行してもよい。
【００５６】
・ＥＣＵ４６０は、庫外側ファン４３６の回転方向を逆転させる処理を実行しなくてもよい。
【００５７】
・上記実施形態の庫内温度調整装置４００は、トレーラ１００のコンテナ２００に限らず、航空機のコンテナ等、他のコンテナにも適用することが可能である。
【００５８】
・ＥＣＵ４６０が提供する手段及び／又は機能は、実体的な記憶装置に記憶されたソフトウェア及びそれを実行するコンピュータ、ソフトウェアのみ、ハードウェアのみ、あるいはそれらの組み合わせにより提供することができる。例えばＥＣＵ４６０がハードウェアである電子回路により提供される場合、それは多数の論理回路を含むデジタル回路、またはアナログ回路により提供することができる。
【００５９】
・本発明は上記の具体例に限定されるものではない。すなわち、上記の具体例に、当業者が適宜設計変更を加えたものも、本発明の特徴を備えている限り、本発明の範囲に包含される。例えば、前述した各具体例が備える各要素及びその配置、材料、条件、形状、サイズ等は、例示したものに限定されるわけではなく適宜変更することができる。また、前述した実施形態が備える各要素は、技術的に可能な限りにおいて組み合わせることができ、これらを組み合わせたものも本発明の特徴を含む限り本発明の範囲に包含される。
【符号の説明】
【００６０】
２００：コンテナ
４００：庫内温度調整装置
４３０：ヒートポンプ
４３３：庫外側熱交換器
４３３ａ，４３３ｂ：熱交換部材（直立熱交換部材）
４３３ｃ：熱交換部材（傾斜熱交換部材）
４３５：庫内側熱交換器
４３６：庫外側ファン
４６０：ＥＣＵ（制御部）
【図１】
0006414029.tif 000002
【図２】
0006414029.tif 000003
【図３】
0006414029.tif 000004
【図４】
0006414029.tif 000005
【図５】
0006414029.tif 000006
【図６】
0006414029.tif 000007
【図７】
0006414029.tif 000008